【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
少なくとも２つの通信パスを使用する通信セッションの範囲において通信機器の２つのアイテム間で情報を送信する方法であって、前記通信機器のアイテムのうちの一方は異なる通信アドレスを有する少なくとも２つの通信インターフェースを含み、他方のアイテムは通信アドレスを有する少なくとも１つの通信インターフェースを含み、
前記方法は、
前記通信機器のアイテムのうちの少なくとも一方において、使用優先レベル及び受信時最大許可バンド幅を各々が表す第１の情報アイテム及び第２の情報アイテムと関連付けされた前記通信インターフェースの各々の各通信アドレスを含む制御メッセージを生成するステップ（ｉ）と、
前記通信機器の他方のアイテムに前記制御メッセージを送信して、前記通信インターフェースのうちの１つと前記制御メッセージを送信した前記通信機器のアイテムの前記通信インターフェースのうちの１つとの間で前記通信セッションのパケットを送信する少なくとも１つの通信パスを決定するステップ（ii）と、
を含む、前記方法。
【請求項２】
各制御メッセージはＳＣＴＰトランスポートプロトコルに基づいている、請求項１に記載の方法。
【請求項３】
通信機器の２つのアイテム間で確立された少なくとも２つの通信パスを用いる通信セッションのパケット用の通信パスを決定する方法であって、前記通信機器の第１のアイテムは異なる通信アドレスを有する少なくとも２つの通信インターフェースを含み、前記通信機器の第２のアイテムは通信アドレスを有する少なくとも１つの通信インターフェースを含み、
前記方法は、
それら通信インターフェースと関連付けられている使用優先レベルに応じて前記通信機器の第１のアイテムの前記通信インターフェースのうちの１つを選択するステップ（ａ）と、
前記通信セッションのパケットを送信するために、前記通信機器の第２のアイテムの前記通信インターフェースのうちの１つと前記通信機器の第１のアイテムの選択された前記通信インターフェースとの間に存在する前記通信パスのうちの少なくとも１つを、この最後の通信インターフェースについての受信時最大許可バンド幅及び前記存在する通信パス上のパケット送信時間に応じて、選択するステップ（ｂ）と、を含む、前記方法。
【請求項４】
前記ステップ（ａ）において、前記選択は、前記通信セッションの送信されるべきパケットのバンド幅より大きい受信時最大許可バンド幅と関連付けされている前記通信機器の第１のアイテムの前記通信インターフェースのうちから実行される、請求項３に記載の方法。
【請求項５】
前記選択した通信パスで使用可能なバンド幅が前記通信機器の第１のアイテムの前記選択した通信インターフェースのための前記受信時最大許可バンド幅より常に小さいとき、他の通信パスのうちの少なくとも１つが、前記通信機器の第２のアイテムの前記通信インターフェースの１つと前記通信機器の第１のアイテムの前記選択した通信インターフェースとの間で、前記存在する通信パス上での前記パケット送信時間に応じて選択され、それにより前記通信セッションの前記パケットが各選択した通信パス上を分散方式で送信される、請求項３又は４に記載の方法。
【請求項６】
存在する通信パス上での各パケット送信時間は、次の式：Ｒm＝(Ｏm＋Ｄ)/min(Ｂm,ｋm)によって決定され、ここで、Ｏmは考慮対象とされた前記存在する通信パス上で送信中であるパケットの数であり、Ｄは送信されなければならないパケットの数であり、Ｂmは考慮対象とされた前記存在する通信パス上の現在の送信容量の推定値であり、ｋmは考慮対象とされた前記存在する通信パスについて前記通信機器の第１のアイテムの前記選択した通信インターフェースにおいて受信時に許可された最大バンド幅である、請求項３ないし５のいずれか１項に記載の方法。
【請求項７】
存在する通信パス上のパケットの各送信時間は、次の式：Ｒm＝minＲＴＴm/２＋(Ｏm＋Ｓm＋Ｄ)/min(Ｂm,ｋm)によって決定され、ここで、minＲＴＴmは考慮対象とされた前記存在する通信パス上で観測された最小行き/戻り時間であり、Ｏmは考慮対象とされた前記存在する通信パス上で送信中であるパケットの数であり、Ｓmは考慮対象とされた前記存在する通信パス上で送信を待っているパケットの数であり、Ｄは送信されなければならないパケットの数であり、Ｂmは考慮対象とされた前記存在する通信パス上の現在の送信容量の推定値であり、ｋmは考慮対象とされた前記存在する通信パスについて前記通信機器の第１のアイテムの前記選択した通信インターフェースにおける受信時最大許可バンド幅である、請求項３ないし５のいずれか１項に記載の方法。
【請求項８】
各パラメータｋmは次の式：ｋm＝Ｋj'i/Ｎj'iによって与えられ、ここで、Ｎj'iは前記通信機器の第１のアイテムの前記選択した通信インターフェースに到達する存在する通信パスの数である、請求項６又は７に記載の方法。
【請求項９】
通信機器の各アイテムがその通信インターフェースの各々のレベルでパケットフロー管理アルゴリズムを実施するとき、前記通信セッションの送信されるべきパケットのバンド幅より大きく、かつ送信中に用いられ得るバンド幅を提供することが考慮対象とされた時点で可能な、その通信インターフェースのうちの１つと、前記通信機器の第１のアイテムの前記選択した通信インターフェースとの間に存在する前記通信パスのうちの少なくとも１つを、前記ステップ（ｂ）で前記通信機器の第２のアイテムにおいて選択する、請求項３ないし８のいずれか１項に記載の方法。
【請求項１０】
通信機器の各アイテムがその通信インターフェースの各々のレベルでパケットフロー管理アルゴリズムを実施するとき、一方で、余分のバンド幅を引いた前記通信セッションの送信されるべきパケットのバンド幅に等しい送信中に用いられ得るバンド幅を提供すること、および他方で、選択した閾値より小さい遅延にて前記余分のバンド幅に対応するパケットを送信することが考慮対象とされた時点で可能な、その通信インターフェースのうちの１つと、前記通信機器の第１のアイテムの前記選択した通信インターフェースとの間に存在する通信パスのうちの少なくとも１つを、前記ステップ（ｂ）で前記通信機器の第２のアイテムにおいて選択する、請求項３ないし８のいずれか１項に記載の方法。
【請求項１１】
通信機器の２つのアイテム間で確立された少なくとも２つの通信パスを用いる通信セッション用の制御メッセージを生成する装置であって、
前記通信機器の一方のアイテムは異なる通信アドレスを有する少なくとも２つの通信インターフェースを含み、前記通信機器の他方のアイテムは通信アドレスを有する少なくとも１つの通信インターフェースを含み、
前記装置は、
使用優先レベル及び受信時最大許可バンド幅を各々が表す第１の情報アイテム及び第２の情報アイテムと関連付けされた通信インターフェースの各々の各通信アドレスを含む制御メッセージを前記通信機器の一方のアイテムのために生成するように適合されている、前記装置。
【請求項１２】
ＳＣＴＰトランスポートプロトコルに応じて制御メッセージを生成するように適合されている、請求項１１に記載の装置。
【請求項１３】
通信機器の２つのアイテム間で確立された少なくとも２つの通信パスを用いる通信セッションのパケット用の通信パスを決定する装置であって、
前記通信機器の第１のアイテムは異なる通信アドレスを有する少なくとも２つの通信インターフェースを含み、前記通信機器の第２のアイテムは通信アドレスを有する少なくとも１つの通信インターフェースを含み、
前記装置は、
それら通信インターフェースと関連付けされている使用優先レベルに応じて前記通信機器の第１のアイテムの前記通信インターフェースのうちの１つを選択するために適合された第１の選択手段と、
前記通信機器の第２のアイテムの前記通信インターフェースのうちの１つと前記通信機器の第１のアイテムの選択された前記通信インターフェースとの間に存在する前記通信パスの少なくとも１つを、前記通信セッションのパケットを送信する目的で、この最後の通信インターフェースについての受信時最大許可バンド幅及び前記存在する通信パス上でのパケット送信時間に応じて、選択するために適合された第２の選択手段と、
を備える、前記装置。
【請求項１４】
通信アドレスを有する少なくとも１つの通信インターフェースを含む通信機器であって、
請求項１１及び１２のいずれか１項に記載の制御メッセージを生成する装置、及び／又は請求項１３に記載の通信パスを決定する装置を含む、前記通信機器。
【手続補正２】
【補正対象書類名】明細書
【補正対象項目名】００６３
【補正方法】変更
【補正の内容】
【００６３】
本発明は、単に例として上述した、情報を送信する方法、通信パスを決定する方法、制御メッセージを生成する装置、パケット通信パスを決定する装置、及び通信機器の実施形態に限定されず、特許請求の範囲内において本分野の当業者によって考慮され得る任意の変形例を包含する。
本発明は以下の態様を含む。
（付記１）
少なくとも２つの通信パスを使用する通信セッションの範囲において２つの通信機器（Ｅj）間で情報を送信する方法であって、前記通信機器のうちの一方（Ｅj）は異なる通信アドレスを有する少なくとも２つの通信インターフェース（Ｉji）を含み、他方の通信機器（Ｅj'）は通信アドレスを有する少なくとも１つの通信インターフェース（Ｉj'i）を含み、
前記方法は、
使用優先レベル及び受信時最大許可バンド幅（Ｋji）を各々が表す第１の情報及び第２の情報と関連付けされた通信インターフェース（Ｉji）の各々の各通信アドレスを含む制御メッセージを前記一方の通信機器（Ｅj）のうちの少なくとも１つで生成するステップ（ｉ）と、
前記通信インターフェース（Ｉj'i）のうちの１つと前記制御メッセージを送信した前記一方の通信機器（Ｅj）の前記通信インターフェース（Ｉji）のうちの１つとの間で前記通信セッションのパケットを送信する少なくとも１つの通信パスを決定するために前記他方の通信機器（Ｅj'）に前記制御メッセージを送信するステップ（ii）と、を含むことを特徴とする方法。
（付記２）
前記制御メッセージはＳＣＴＰトランスポートプロトコルに基づいていることを特徴とする付記１に記載の方法。
（付記３）
２つの通信機器（Ｅj）間で設立された少なくとも２つの通信パスを用いる通信セッションのパケット用の通信パスを決定する方法であって、前記機器のうちの一方の第１の通信機器（Ｅj'）は異なる通信アドレスを有する少なくとも２つの通信インターフェース（Ｉj'i）を含み、他方の第２の通信機器（Ｅj）は通信アドレスを有する少なくとも１つの通信インターフェース（Ｉji）を含み、
前記方法は、
それら通信インターフェースと関連付けられている使用優先レベルに応じて前記一方の第１の通信機器（Ｅj'）の通信インターフェース（Ｉj'i）のうちの１つを選択するステップ（ａ）と、
前記通信セッションのパケットを送信するために、前記第２の通信機器（Ｅj）の前記通信インターフェース（Ｉji）のうちの１つと前記第１の通信機器（Ｅj'）の選択された前記通信インターフェース（Ｉj'i）との間に存在する通信パスのうちの少なくとも１つを、この最後のインターフェース（Ｉj'i）についての受信時最大許可バンド幅（Ｋji）及び前記存在する通信パス上のパケット送信時間に応じて、選択するステップ（ｂ）と、を含むことを特徴とする方法。
（付記４）
前記ステップ（ａ）において、前記選択は、前記通信セッションの送信されるべきパケットのバンド幅より大きい受信時最大許可バンド幅（Ｋj'i）と関連付けされている前記第１の通信機器（Ｅj'）の前記通信インターフェース（Ｉj'i）のうちから実行されることを特徴とする付記３に記載の方法。
（付記５）
前記選択した通信パスで使用可能なバンド幅が前記第１の通信機器（Ｅj'）の前記選択した通信インターフェース（Ｉj'i）のための前記受信時最大許可バンド幅より常に小さいとき、前記通信パスのうちの他の少なくとも１つが、前記第２の通信機器（Ｅj）の前記通信インターフェース（Ｉji）と前記第１の通信機器（Ｅj'）の前記選択した通信インターフェース（Ｉj'i）との間で、前記存在する通信パス上での前記パケット送信時間に応じて選択され、それにより前記通信セッションのパケットが各選択した通信パス上を分散方式で送信されることを特徴とする付記３又は４に記載の方法。
（付記６）
存在する通信パス上での各パケット送信時間は、次の式：Ｒm＝(Ｏm＋Ｄ)/min(Ｂm,ｋm)によって決定され、ここで、Ｏmは考慮対象とされた前記存在する通信パス上で送信中にあるパケットの数であり、Ｄは送信されなければならないパケットの数であり、Ｂmは考慮対象とされた前記存在する通信パス上の現在の送信容量の推定であり、ｋmは考慮対象とされた前記存在する通信パスについて前記第１の通信機器（Ｅj'）の前記選択した通信インターフェース（Ｉj'i）において受信時に許可された最大バンド幅であることを特徴とする付記３ないし５のいずれか１つに記載の方法。
（付記７）
存在する通信パス上のパケットの各送信時間は、次の式：Ｒm＝minＲＴＴm/２＋(Ｏm＋Ｓm＋Ｄ)/min(Ｂm,ｋm)によって決定され、ここで、minＲＴＴmは考慮対象とされた前記存在する通信パス上で観測された最小行き/戻り時間であり、Ｏmは考慮対象とされた前記存在する通信パス上で送信中であるパケットの数であり、Ｓmは考慮対象とされた前記存在する通信パス上で送信を待っているパケットの数であり、Ｄは送信されなければならないバケットの数であり、Ｂmは考慮対象とされた前記存在する通信パス上の現在の送信容量の推定であり、ｋmは考慮対象とされた前記存在する通信パスについて前記第１の通信機器（Ｅj'）の前記選択した通信インターフェース（Ｉj'i）における受信時最大許可バンド幅であることを特徴とする付記３ないし５のいずれか１つに記載の方法。
（付記８）
各パラメータｋmは次の式：ｋm＝Ｋj'i/Ｎj'iによって与えられ、ここで、Ｎj'iは前記第１の通信機器の前記選択した通信インターフェース（Ｉj'i）に到達する存在する通信パスの数であることを特徴とする付記６又は７に記載の方法。
（付記９）
各機器（Ｅj）がその通信インターフェース（Ｉji）の各々のレベルでパケットフロー管理アルゴリズムを実施するとき、前記通信セッションの送信されるべきパケットのバンド幅より大きく、かつ送信中に用いられ得るバンド幅を提供することが考慮対象とされた時点で可能な、その通信インターフェース（Ｉji）のうちの１つと、前記第１の通信機器（Ｅj'）の前記選択した通信インターフェース（Ｉj'i）との間に存在する前記通信パスのうちの少なくとも１つを、前記ステップ（ｂ）で前記第２の通信機器（Ｅj）において選択することを特徴とする付記３ないし８のいずれか１つに記載の方法。
（付記１０）
各通信機器（Ｅj）がその通信インターフェース（Ｉji）の各々のレベルでパケットフロー管理アルゴリズムを実施するとき、一方で、余分のバンド幅を引いた前記通信セクションの送信されるべきパケットのバンド幅に等しい送信中に用いられ得るバンド幅を提供すること、他方で、選択した閾値より小さい遅延にて前記余分のバンド幅に対応するパケットを送信することが考慮対象とされた時点で可能な、その通信インターフェース（Ｉji）のうちの１つと、前記第１の通信機器（Ｅj'）の前記選択した通信インターフェース（Ｉj'i）との間に存在する通信パスのうちの少なくとも１つを、前記ステップ（ｂ）で前記第２の通信機器（Ｅj）において選択することを特徴とする付記３ないし８のいずれか１つに記載の方法。
（付記１１）
２つの通信機器（Ｅj）間で設立された少なくとも２つの通信パスを用いる通信セッション用の制御メッセージを生成する装置（Ｄ１j）であって、
前記機器のうちの一方（Ｅj）は異なる通信アドレスを有する少なくとも２つの通信インターフェース（Ｉji）を含み、他方の通信機器（Ｅj'）は通信アドレスを有する少なくとも１つの通信インターフェース（Ｉj'i）を含み、
前記装置は、
使用優先レベル及び受信時最大許可バンド幅（Ｋji）を各々が表す第１の情報及び第２の情報と関連付けされた通信インターフェース（Ｉji）の各々の各通信アドレスを含む制御メッセージを前記一方の通信機器（Ｅj）のために生成するように適合されていることを特徴とする装置。
（付記１２）
ＳＣＴＰトランスポートプロトコルに応じて制御メッセージを生成するように適合されていることを特徴とする付記１１に記載の装置。
（付記１３）
２つの通信機器（Ｅj）間で設立された少なくとも２つの通信パスを用いる通信セッションのパケット用の通信パスを決定する装置（Ｄ２j）であって、
前記通信機器のうちの一方の第１の通信機器（Ｅj'）は異なる通信アドレスを有する少なくとも２つの通信インターフェース（Ｉj'i）を含み、他方の第２の通信機器（Ｅj）は通信アドレスを有する少なくとも１つの通信インターフェース（Ｉji）を含み、
前記装置は、
それら通信インターフェースと関連付けされている使用優先レベルに応じて前記第１の通信機器（Ｅj'）の前記通信インターフェース（Ｉj'i）のうちの１つを選択するために適合された第１の選択手段（ＭＳ１）と、
前記第２の通信機器（Ｅj）の前記通信インターフェース（Ｉji）のうちの１つと前記第１の通信機器（Ｅj'）の選択された前記通信インターフェース（Ｉj'i）との間に存在する通信パスの少なくとも１つを、前記通信セッションのパケットを送信する目的で、この最後のインターフェース（Ｉj'i）についての受信時最大許可バンド幅（Ｋj'i）及び前記存在する通信パス上でのパケット送信時間に応じて、選択するために適合された第２の選択手段（ＭＳ２）と、を備えることを特徴とする装置。
（付記１４）
通信アドレスを有する少なくとも１つの通信インターフェース（Ｉji）を含む通信機器（Ｅj）であって、
付記１１及び１２のいずれか１つに記載の制御メッセージを生成する装置（Ｄ１j）、及び／又は付記１３に記載の通信パスを決定する装置（Ｄ２j）を含むことを特徴とする通信機器。